(57)【要約】  ブロー成形型から排出されるプラスチック・ブロー成形ログの一部分を形成するプラスチック・ボトルから、ばり及びブロードームをトリミングするための回転トリマが、ばり打ち抜き用工具と、ネック支持プレートと、ギロチン・ブレードとを有する。ネック支持プレートは、ブロードームのカッティング中にネックを支持することを目的としてプラスチック・ログのネックに隣接するようにプレート駆動装置により移動され得、又、ネックの外周の実質的に全体を支持するようにログ・ホルダと協働する。ギロチン・ブレードは、プラスチック・ログのところを通過してプラスチック・ログのネックからブロードームを切断するように、ブレード駆動装置によって移動され得る。
2013527063.tif 000002
【特許請求の範囲】
【請求項１】
ブロー成形型から排出されるプラスチック・ブロー成形ログの一部分を形成する、プラスチック・ボトルのネックからブロードームをトリミングする方法であって、前記ネックが軸線に沿って延在している方法において、
（ａ）トリミングされていないログをログ・ホルダ上に配置し、前記ログが前記ログ・ホルダ上に配置されている間はギロチン組立体を前記ログ・ホルダから離れたところに配置するステップであって、前記ギロチン組立体が、前記ボトル・ネックから前記ブロードームを切断するためのブレード、およびネック支持プレートを有しているステップと、
（ｂ）前記ログが前記ログ・ホルダ上に配置された後に前記ギロチン組立体を前記ログ・ホルダに隣接するように位置決めするステップであって、前記ギロチン組立体が前記ログ・ホルダに隣接したとき、前記ネック支持プレート及び前記ブレードは前記ネックの軸線に対して垂直な方向に前記プラスチック・ログの第１の側から分離され且つその第１の側の上を覆っているステップと、
（ｃ）前記ネック支持プレートを前記プラスチック・ログの方に所定の距離だけ移動させ、そのように移動させた後で前記ネック支持プレートを前記ネックに隣接させて停止させるステップと、
（ｄ）ステップ（ｃ）の実施後、前記ネックから前記ブロードームをトリミングするために、前記ブレードを前記プラスチック・ログの方へと、前記プラスチック・ログを通過するように移動させるステップと、
（ｅ）ステップ（ｄ）の実施後、前記ギロチン組立体を、前記ログ・ホルダに隣接する位置から前記ログ・ホルダから離れた位置まで移動させるステップと、
（ｆ）ステップ（ｅ）の実施後、前記トリミングされたログを前記ログ・ホルダから除去するステップと、
を含む方法。
【請求項２】
前記ネック支持プレートが第１のネック支持体として働き、前記ログ・ホルダが第２のネック支持体を有し、ステップ（ａ）が、
（ｇ）前記トリミングされていないログの前記ネックを前記第２のネック支持体に隣接するように配置するステップ
を含む、請求項１に記載の方法。
【請求項３】
ステップ（ｃ）の実施後、前記第１及び第２のネック支持体が前記ネックの外周全体を実質的に支持する、請求項２に記載の方法。
【請求項４】
前記ギロチン組立体がカム面によって案内されるカム・フォロアを有し、前記ネック支持プレートが前記カム・フォロアと結合状態で移動するように前記カム・フォロアに対して固定される、請求項１に記載の方法。
【請求項５】
前記ブレードが、前記ネック支持プレートに対して相対的に前記ブレードを移動させる駆動装置に取り付けられ、ステップ（ｄ）が、
（ｇ）前記ブレードを前記ネック支持体に対して相対的に移動させ、且つ前記プラスチック・ログを通過させるように前記駆動装置を作動させるステップ
を含む、請求項４に記載の方法。
【請求項６】
前記ギロチン組立体がカム・フォロアを有し、該カム・フォロアは前記カム面によって案内されて前記ログ・ホルダの方に向かうように及び前記ログ・ホルダから離れるように移動され、前記ブレードは、前記カム・フォロアと結合状態で移動するように前記カム・フォロアに対して固定される、請求項１に記載の方法。
【請求項７】
前記ギロチン組立体が前記ログ・ホルダに対して固定される部材を有し、ステップ（ｃ）が、
（ｇ）前記ログ・ホルダに対する前記ネック支持プレートの相対的な移動を停止させるために、前記ネック支持プレートに動作可能に接続された停止部材を、前記固定された部材に係合させるステップ
を含む、請求項６に記載の方法。
【請求項８】
（ｇ）取り込み位置及び排出位置を有する経路に沿ってログ・ホルダ及びギロチン組立体を一体に連続的に移動させるステップと、
（ｈ）前記ログ・ホルダが前記取り込み位置にあるときにステップ（ａ）を開始するステップと、
（ｉ）前記ログ・ホルダが前記排出位置にあるときにステップ（ｂ）を開始するステップと
を含む請求項１に記載の方法。
【請求項９】
ステップ（ｇ）が、
（ｊ）前記ログ・ホルダ及び前記ギロチン組立体を共通の軸線を中心に回転させるステップ
を含む、請求項８に記載の方法。
【請求項１０】
前記ギロチン組立体がカム・フォロアを有し、該カム・フォロアはカム面によって案内されて前記ログ・ホルダの方に向かうように及び前記ログ・ホルダから離れるように移動され、前記ネック支持プレートは、前記カム・フォロアと結合状態で移動するように前記カム・フォロアに対して固定される、請求項１に記載の方法。
【請求項１１】
前記プラスチック・ログから前記ブロードームをトリミングすることが１つのトリミング動作を意味し、前記方法は、
（ｇ）前記プラスチック・ログが前記ログ・ホルダ上にある間に前記プラスチック・ログ上で第２のトリミング動作を実施するステップ
を含む、請求項１に記載の方法。
【請求項１２】
ブロー成形型から排出されたプラスチック・ブロー成形ログの一部分を形成するプラスチック・ボトルのネックからブロードームをトリミングするための組立体であって、前記ネックが軸線に沿って延在している組立体において、
ログ・ホルダと、
キャリア、ブレード及びネック支持プレートであって、前記ブレードが切れ刃を有し、前記キャリアが後退位置と前記後退位置から離れた伸長位置との間で移動可能であり、前記ブレード及び前記ネック支持プレートが後退位置と伸長位置との間で前記キャリアと共に移動するように前記キャリアによって担持され、前記ブレードが上昇位置と前記ブレードの前記上昇位置から離れた下降位置との間で前記キャリアに対して移動可能であり、前記ブレードが前記上昇位置から前記下降位置へ移動するときに前記ブレードの前記切れ刃が前記ブレードの前側端部上にあり、前記ネック支持プレートが上昇位置と前記プレートの前記上昇位置から離れた下降位置との間で前記キャリアに対して移動可能である、キャリア、ブレード及びネック支持プレートと、
前記キャリアを前記後退位置と前記伸長位置との間で移動させるために前記キャリアに動作可能に接続されたキャリア駆動装置と、
前記ブレードを前記ブレードの前記上昇位置と前記下降位置との間で移動させるために前記ブレードに動作可能に接続されたブレード駆動装置と、
前記ネック支持プレートを前記ネック支持プレートの前記上昇位置と前記下降位置との間で移動させるために前記ネック支持プレートに動作可能に接続されたプレート駆動装置と
を有し、
前記ブレード及び前記ネック支持プレートが各々前記上昇位置にあるときに、前記ブレード及び前記ネック支持プレートが各々第１の方向においてそれぞれ第１の距離だけ前記ログ・ホルダから分離され、
前記キャリアが前記伸長位置にあるときに、前記ブレード及び前記ネック支持プレートが前記第１の方向において前記ログ・ホルダの上を覆い、
前記キャリアが前記伸長位置にあるときに前記ブレードが前記上昇位置から前記下降位置まで移動しているとき、前記ブレードが前記ログ・ホルダの方に移動し、
前記キャリアが前記伸長位置にあるときに前記ネック支持プレートが前記上昇位置から前記下降位置まで移動しているとき、前記ネック支持プレートが前記ログ・ホルダの方に移動する
組立体。
【請求項１３】
前記ネック支持プレートが前記下降位置にあり且つ前記キャリアが前記伸長位置にあるときに、前記ネック支持プレートが前記ログ・ホルダの一部分に面し、又、前記ネック支持プレート及び前記ログ・ホルダの一部分が、協働してプラスチック・ボトルのネックを支持するように構成される、請求項１２に記載の組立体。
【請求項１４】
前記ブレード駆動装置がシリンダ及びピストン・ロッドを有し、前記ブレードが前記ピストン・ロッドに取り付けられる、請求項１２に記載の組立体。
【請求項１５】
前記ブレード駆動装置及び前記プレート駆動装置が、共通のカム・フォロアと、前記カム・フォロアを案内する共通のカム面とを有する、請求項１２に記載の組立体。
【請求項１６】
前記キャリアが軸線を中心に回転するホイール上に設置される、請求項１２に記載の組立体。
【請求項１７】
前記ブレード駆動装置が前記ネック支持プレートを押す少なくとも１つのばねを有し、前記ネック支持プレートが前記ばねに対して相対的に移動され得る、請求項１２に記載の組立体。
【請求項１８】
閉じた経路に沿って前記ログ・ホルダを連続的に移動させるログ・キャリアを有する請求項１２に記載の組立体。
【請求項１９】
前記キャリアが前記後退位置にあるときに、前記キャリアはログ・ホルダから分離され、且つ前記キャリア、前記ブレード及び前記ネック支持プレートは、前記第１の方向において前記ログ・ホルダの上を覆っていない、請求項１２に記載の組立体。
【請求項２０】
前記キャリアがばり打ち抜き具も担持している、請求項１２に記載の組立体。
【発明の詳細な説明】
【技術分野】
【０００１】
本発明は、ブロー成形されたプラスチック・ボトルからプラスチックをトリミングするための機械及び方法に関する。
【背景技術】
【０００２】
図１は、後部のばり（ｆｌａｓｈ）が除去された状態の、ブロー成形機から取り出された単一のプラスチック製ボトルログ（又はボトル部材）Ｈを示す。ログＨは、ボトルの一方の側で、オフセットされた軸線Ｄ上に位置するネックＩを含む。モイル又はブロードームＪがネックＩから離れる方向に延在している。ネックのばりＫが、ボトル、ネック及びブロードームの側部から延在している。ネックのばりはボトル・ネックに隣接して鋳型の分割線のところに形成され、図１に見られる図面に平行な、ネックの軸線を通って延びる共通の平面内に位置する。ネックのばりＫ及びブロードームＪはトリミングされて除去されなければならない。
【０００３】
従来のブロードーム・トリマ（ｂｌｏｗ  ｄｏｍｅ  ｔｒｉｍｍｅｒ）は、固定された打ち抜きステーション（パンチング・ステーション）に対して一連のボトルのうちの先頭のボトルを直線的に割り出し（すなわち位置決めし）、ボトルはここで、ばりがトリミングされて除去される間、固定されて保持される。トリミング後、ボトルは解放されて下流側へと移動され、新しいボトルがステーションに対して割り出しされる。
【０００４】
従来、ブロードームは、ボトルを回転させて、ネックからブロードームを切断するためのカッタに沿わせてネックを移動させることにより、ブロー成形されたボトルのネックからトリミングされる。別法として、ブロードームはギロチン・タイプのブレードによって切り離されてもよい。
【０００５】
本出願の権利者が所有する、Ｆｉｏｒａｎｉらの米国特許第７，４４１，４８６号（以下、’４８６特許とも称する）が、ばりをトリミングするためのばりステーションと、ブロー成形されたプラスチック・ボトルログからブロードームをトリミングするためのブロードーム・ステーションとを有する回転トリマを開示している。Ｆｉｏｒａｎｉらの米国特許第７，４４１，４８６号は、参照により、あたかもその全体が本明細書に記載されているかのように、本明細書に組み込まれる。
【０００６】
本明細書で開示する本発明がなされた時点で、本出願人らは、本明細書で開示する本発明を米国特許第７，４１１，４８６号の権利者に譲渡するよう義務づけられた。本出願人らは本発明を米国特許第７，４１１，４８６号の同じ権利者に譲渡した。
【０００７】
ばりステーションは、水平軸線を中心に継続的に回転するホイールを含む。複数の設置プレートがホイールの外側に担持されている。各設置プレートは、ネスト又はログ・ホルダと、１組のばり打ち抜き工具とを担持している。この１組のばり打ち抜き工具はログ・ホルダに関連づけられ、又、この１組のばり打ち抜き工具はばり打ち抜き組立体を含む。ばり打ち抜き組立体は、関連づけられたログ・ホルダ内に担持されたログからばりをトリミングするようにばりのところを通過する打ち抜き具を保持している。
【０００８】
スピン・ステーションが、平行な水平軸線を中心に回転するホイールを含んでいる。複数のログ・ホルダがホイールの外側に担持される。ログ・ホルダはそれ自体で軸線を中心に回転することができ、ネックの軸線を中心にログをスピンさせる。ブロードームがホイールの軸線を中心に部分的に延びる固定ナイフに対してスピンされ、それによりボトル・ネックからブロードームがトリミングされる。
【０００９】
この回転トリマは高速製造ラインを形成し、この高速製造ラインはブロー成形機から、トリミングされていないプラスチック・ログを受け取ってばりを除去し、ブロードームをトリミングするために製造ラインに沿わせてログを連続的に移動させる。
【００１０】
ばり及びブロードームを単一のステーションでトリミングすることができるようにばりステーションを修正することが有利である。さらに、ギロチン・タイプのブレードを使用してブロードームを除去することが有利である。ブロードームによっては、薄すぎることが原因で、スピン・トリミングによってトリミングすることができない。
【先行技術文献】
【特許文献】
【００１１】
【特許文献１】米国特許第７，４４１，４８６号
【特許文献２】米国特許第７，４１１，４８６号
【発明の概要】
【課題を解決するための手段】
【００１２】
ばりステーションが、単一のステーションのところでばり及びブロードームをトリミングするのを可能にするように修正される。ブロードームはギロチン・タイプのブレードを使用して除去される。
【００１３】
ばりステーションは、ギロチン・ブレードおよびネック支持プレートをも担持するばり打ち抜き具を担持するキャリアを有するように修正される。ネック支持プレートは、ブロードームのカッティング中にネックを支持するためにプラスチック・ログのネックに隣接するように、プレート駆動装置によって移動され得る。好適には、ネック支持プレートは、ネックの外周の実質的に全体を支持するようにログ・ホルダと協働する。ギロチン・ブレードは、プラスチック・ログのところを通過してプラスチック・ログのネックからブロードームを切断するようにブレード駆動装置によって移動され得る。
【００１４】
本発明の別の目的及び特徴は、本発明の２つの実施例を示す１０個の添付図面と特に併せて本記述を読み進めることにより明らかとなる。
【図面の簡単な説明】
【００１５】
【図１】ネックと、ログからトリミングされるブロード・ドーム及びばりとを有する、トリミングされていないプラスチック・ボトルログを示す図である。
【図２】ログ・ホルダがトリミングされるプラスチック・ボトルログを受け取った直後の、本発明によるばりステーションを示す垂直方向断面図である。
【図３】図２に類似するが、ばり打ち抜き組立体がログからばりをトリミングするためのその行程を開始する直前のばりステーションを示す図である。
【図４】図２に類似するが、ばりがトリミングされた後で、且つ、ブロードーム・トリミング組立体がログのネックからブロードームをトリミングするためのその行程を開始する直前の、ばりステーションを示す図である。
【図５】図４に類似するが、ギロチン・ブレードがログのネックからブロードームをトリミングするために伸長している状態の、その行程の端部にあるブロードーム・トリミング組立体を示す図である。
【図６】図２の線６−６に沿った断面図である。
【図７】図６に類似するが、ばりステーションが図４に示される状態にある、断面図である。
【図８】図７に類似するが、ばりステーションが図５に示される状態にある、断面図である。
【図９】ばりステーションまで、及び、ばりステーションからの、ログの移動経路を示す図である。
【図１０】ブロードーム・トリミング組立体がログのネックからブロードームをトリミングするためのその行程を開始する直前の、本発明による第２の実施例のブロードーム・トリミング組立体の一部分を示す図である。
【図１１】図１０に類似するが、その行程に沿った中間位置にあるブロードーム・トリミング組立体を示す図である。
【図１２】図１０に類似するが、ギロチン・ブレードがログのネックからブロードームをトリミングするために伸長している状態の、その行程の端部にあるブロードーム・トリミング組立体を示す図である。
【発明を実施するための形態】
【００１６】
示される実施例は、’４８６特許で開示されるタイプの回転トリマであり、同一のトリミング・ステーションにおいてばり及びブロードームの両方をログからトリミングするのを可能にするように修正されたばりステーションを有する。ブロードームはギロチン・タイプのブレードを使用してトリミングされる。
【００１７】
図２〜８は、本発明による修正されたばりステーションを示す。’４８６特許で開示されるばりステーションからの修正部分のみを示して説明する。’４８６特許で開示されるばりステーションの同一の構成要素部分に一致するばりステーションの構成要素部分は’４８６特許で使用される参照符号と同じ参照符号が付される。
【００１８】
図２は、回転可能なホイール２４の外側円周上で担持される設置プレート９４を示しており、ホイール２４は図２に示される図面の平面に対して垂直な回転軸線を中心に回転することができる。設置プレート９４は、ログ・ホルダ９８と、１組のばり打ち抜き工具１１２とを担持する。トリミングされていないプラスチック・ログＨがログ・ホルダ９８によって担持されて示されている。
【００１９】
ばり打ち抜き工具１１２は、ばり打ち抜き組立体１１４と、ばり打ち抜き組立体１１４に隣接するギロチン組立体又はブロードーム打ち抜き組立体４１０と、駆動装置組立体１１６とを含む。ばり打ち抜き組立体１１４及びブロードーム・トリミング組立体４１０は、結合状態で移動するように駆動装置組立体１１６に接続される共通のキャリア又は頂部プレート１４０上に設置される。駆動装置組立体１１６は、ホイール２４の外側周囲部の一部分の周りを円周状に延在する固定カム・ガイド１２０によって誘導されるカム・フォロア１２６を含む。駆動装置組立体１１６は、ログ・ホルダ９８の方に向かうように及びログ・ホルダ９８から離れるように、ばり打ち抜き組立体１１４及びブロードーム・トリミング組立体４１０を駆動させる。
【００２０】
第２の駆動装置組立体がばり打ち抜き組立体１１４を駆動させる。第２の駆動装置組立体は、ばり打ち抜き組立体１１４の頂部に取り付けられるローラ・カム・フォロア１６２を含む。カム・フォロア１６２は、ホイール２４の外側周囲部の一部分に沿って円周状に延在するガイド面１６４を有する固定カム１２０によって誘導される。第２の駆動装置組立体は、図２に示される後退位置から、プラスチック・ログＨからばりをトリミングするための行程を通るように、ばり打ち抜き組立体１１４を駆動させる。第２の駆動装置組立体に類似する第３の駆動装置組立体がブロードーム・トリミング組立体４１０を駆動させる。第３の駆動装置組立体は、ブロードーム・トリミング組立体４１０の頂部に取り付けられ、カム１２０上の固定ガイド面４１３（ガイド面１６４に類似する）によって誘導されるローラ・カム・フォロア４１２を含む。第３の駆動装置組立体は、図２に示される後退位置から、ボトルログのブロードームＪをトリミングするための行程を通るように、ブロードーム・トリミング組立体４１０を駆動させる。
【００２１】
ログ・ホルダ９８は、ボトルＨのネックＩ及びブロードームＪを支持するボトル・ネック／ブロードーム支持体（ｂｏｔｔｌｅ  ｎｅｃｋ  ａｎｄ  ｂｌｏｗ  ｄｏｍｅ  ｓｕｐｐｏｒｔ）１０４を含む。支持体１０４は’４８６特許で開示される支持体１０４に類似するが、ブロードームをトリミングするのを可能にするように修正されている。ネックＩを支持する支持部分４１６の頂部表面４１４はネックの形状に従う。図６を参照されたい。頂部表面４１４はネックの底部の半分の周りを１８０度未満で延在し、支持部分４１６はネックの直径より小さい幅を有する。これにより、ネックが支持部分４１６内で着座するのをばりＫの厚さにより妨害されることが防止され、支持部分４１６の上方のネックの最も外側の部分が支持部分４１６の外側で隆起した状態で延在することが可能となる。
【００２２】
図示されるネック支持面４１４は滑らかな表面である。別の実施例では、表面４１４はビードを含んでもよく、又は、ボトルＨをログ・ホルダ９８内で位置決めするのを補助するためにネックの細い部分に従うような外形を有してもよい。
【００２３】
ブロードーム・トリミング組立体４１０は、ばり打ち抜き組立体１１４の頂部プレート１４６及び底部プレート１４８と同じように機能する、頂部プレート４１８及び底部プレート４２０を含む。頂部プレート４１８はローラ・カム・フォロア４１２を担持する。プレート４１８、４２０は、１組の細長いガイド・ポスト４２２によって画定される直線状の行程経路に沿って一体に移動することができる。底部プレート４２０の上側には、二重機能空気圧シリンダ４２４が取り付けられる。ピストン・ロッド４２６がシリンダからプレート４２０の孔を通るように延在しており、このピストン・ロッド４２６は従来のギロチン・タイプのブレード４２８を担持する。ブレード開口部に直に隣接するプレート４２０の底側には、上側ネック支持プレート４３０が取り付けられる。支持プレート４３０はネックＩの長さに等しい厚さを有する。
【００２４】
ネック支持プレート４３０は、ネックの形状に従う底部表面４３２を有する。図７を参照されたい。表面４３２は、約１８０度延在する弓形部分４３４と、弓形部分４３４の端部から垂直方向に短い距離で延在する２つの平行な壁部分４３６とを有する。
【００２５】
図２は、ログ・ホルダ９８がトリミングされるべきプラスチック・ボトルログＨを受け取った直後の、ばりステーションを示す。カム・フォロア１２６が、ばり打ち抜き組立体１１４及びブロードーム・トリミング組立体４１０をそれらの後退位置に配置している。組立体１１４及び４１０は、各々が、それぞれの行程経路に沿った戻し位置すなわち上昇位置にある。空気圧シリンダ４２４も後退位置にある。
【００２６】
ホイール２４のステーションが継続して回転することにより、ばり打ち抜き組立体１１４が、ばりＫをトリミングするための、図３に示されるようなボトルログＨ上のその伸長・動作位置に配置される。ここでは、カム・ローラ１６２が、ボトルログＨの方に向かうように及びボトルログＨから離れるように、ばり打ち抜き組立体１１４をその打ち抜き行程に沿わせて移動させるように押圧する。打ち抜きブレードがばりの平面を通るように移動してボトルログＨからばりを切断する。ネック及びブロードームを支持するログ・ホルダ９８の部分は打ち抜き具から離れており、したがってばりのトリミングする際に打ち抜き具に干渉することはない。ブロードーム・トリミング組立体４１０は、ばり打ち抜き組立体１１４がその打ち抜き行程に沿って移動する間、そこ行程内の上昇位置に留まる。
【００２７】
ばりＫがボトルログＩからトリミングされてばり打ち抜き組立体１１４がその上昇位置に戻ると、ホイール２４が継続して回転することにより、ブロードーム・トリミング組立体４１０が、ブロードームＩをトリミングするのに備えるために、図４に示されるようなボトルログＨ上のその伸長した動作位置に配置される。駆動装置組立体１１６は’４８６特許に示される駆動装置組立体から修正されており、カム・フォロア１２６が図４に示されるようにボトルログＨ上でブロードーム組立体４１０を移動させるのを可能にするためにより長い行程を有する。ばり打ち抜き組立体１１４は、本体ログＨの本体上で移動することができるように十分なクリアランスを有する。
【００２８】
ネック支持プレート４３０は、ボトルログのネックＩから分離されてそのすぐ上方に位置する。図７も参照されたい。空気圧シリンダ４２４が後退しており、ギロチン・ブレード４２８がブロードームＪとネックＩとの接続位置のすぐ上方にある。
【００２９】
次いで、カム・フォロア４１２が、ガイド・ポスト４２２に沿った経路内で図５に示される下降位置まで移動させるために、ブロードーム・トリミング組立体４１０を押圧する。ネック・リングＩが図８に示されるようにネック支持プレート４３０内に緊密に受け入れられ、ここでは、ネック支持プレートの側壁４３６がログ・ホルダのネック支持部分４１６の頂部まで下方に延在する。ネック支持部分４１６及びネック支持プレート４３０の湾曲壁区間４１４、４３４がネック・リングＩの円周全体を実質的に継続して支持するのを可能にする。
【００３０】
ブロードーム・トリミング組立体４１０がネックＩ全体を支持するために下げられた後、ピストン・ロッド４２６を迅速に伸長させてギロチン・ブレード４２８をログＨのところを通過するように移動させるように空気圧シリンダが作動され、それによりブロードームＪがネックＩから切断される。ブレード４２８がブロードームのところを通ってブロードームをカッティングするとき、ネックの長手方向軸線に対して垂直に正確にカッティングが行われるようにするために、ネック支持プレート４３０がブレード４２８を支持するのを補助する。ネック支持プレート１０４内の凹部すなわちブレード溝４３８により、ギロチン・ブレード４３０がブロードームの厚さを完全に通過することが可能となる。
【００３１】
次いで、空気圧シリンダ４２４がピストン・ロッドを後退させるように作動され、カム・フォロア４１２がブロードーム・トリミング組立体をその上昇位置まで戻す。次いで、カム・フォロア１２６が、ばり及びブロードームがトリミングされたボトルログを、ログ・ホルダ９８から取り出すために、組立体１１４、４１０を図２に示されるそれらの後退位置まで戻す。
【００３２】
ホイール２４は、第１の移送ホイール（ｔｒａｎｓｆｅｒ  ｗｈｅｅｌ）２２からトリミングされていないログを受け取り、さらには、トリミングされたボトルを第２の移送ホイール２６に送り出すように、設計される。図９を参照されたい。ホイール２２、２４及び２６は、毎分２００個のボトルがトリミングされるように、高い製造速度で作動する。移送ホイール２２及び２８に関する記述、及び、ログ及びトリミングされたボトルが移送ホイール２２、２８とホイール２４との間で移送される手法に関する記述は’４８６特許に提示されており、本明細書では繰り返さない。
【００３３】
トリミングされていないログ及びその後のトリミングされたボトルは、連続する弓形経路３２０に沿って一定の速度でログが移動される間、ホイール２２、２４及び２６のそれぞれの定位置上で保持される。図９は、送り込みコンベア（ｉｎｆｅｅｄ  ｃｏｎｖｅｙｏｒ）３２から排出コンベア（ｄｉｓｃｈａｒｇｅ  ｃｏｎｖｅｙｏｒ）３４までのログＨの移動経路を示す。
【００３４】
弓形経路３２０は、ログがホイール２２によりコンベア３２からピックアップされるところのインフィード端部（ｉｎｆｅｅｄ  ｅｎｄ）３２２から、ホイール２２、２４及び２６上のそれぞれの弓形部分３２４、３２６及び３２８の周りに連続的に延び、そしてトリミングされたボトルが排出コンベア３４上に配置されるところの排出位置３３０まで延びている。ホイール２２、２４及び２６は、ホイールの回転軸線から距離ｒのところに位置するネスト内でログ及びボトルを支持する。ホイール２２、２４及び２６は同じ周速度で回転することから、ログは経路３２０に沿って同じ速度で移動する。ログは、ネックの軸線Ｄが経路３２０に沿った移動方向に対して横向き且つホイールの回転軸線に平行に延在する状態で、ホイール２２、２４及び２６上で保持される。
【００３５】
図１０〜１２は、トリミング組立体４１０を交換することができる第２の実施例のブロードーム・トリミング組立体５１０を示す。この実施例では、ギロチン・ブレード４２８の径方向の行程がカム・フォロア４１６の径方向の行程と等しいことから、空気圧シリンダ４２４が排除されることにより、ブロードーム・トリミング組立体の構成が簡略化される。
【００３６】
ブロードーム・トリミング組立体５１０は、頂部プレート４１８に取り付けられてガイド・ポスト４２２の間を延在する摺動プレート５１２を含む。細長いギロチン・ブレード４２８は、摺動プレート５１２と共に結合状態で移動するように摺動プレート５１２に固定的に取り付けられ、ガイド・ポスト４２２に平行に延在する。ギロチン・ブレード４２８の、下側のカッティング端部分は摺動プレート５１２を越えて外側に延在する。
【００３７】
上側の設置ブラケット５１４が、ギロチン・ブレード４２８と同じ側で、プレート５１２に固定的に取り付けられる。ブラケット５１４は、ブラケット５１４の孔で緊密に受けられ且つガイド・ポスト５１６の長手方向に沿ってブラケット５１４が相対的に移動するのを可能にする、一対の二次ガイド・ポスト５１６を担持する。ガイド・ポスト５１６の下側端部には、上側ネック支持プレート４３０が固定的に取り付けられる。ガイド・ポスト５１６に沿って延在する圧縮ばね５１８がネック支持プレート４３０をブラケット５１４から離す方向に付勢する。ガイド・ポスト５１６は、ネック支持プレート４３０がギロチン・ブレード４２８に直に隣接するようにするために、サイドプレート５１２から分離されている。
【００３８】
一対の細長いロッド５２０がネック支持プレート４２０内の孔を通って延在し、ガイド・ポスト５１６の外側でガイド・ポスト５１６と平行になるように位置合わせされる。又、ロッド５２０は固定されたブラケット５２２内の孔を通るように延在し、それにより、ロッド５２０に沿ってブラケット５２２が軸線方向に相対移動することが可能となる。ブラケット５２２はキャリア・プレート１４０に対して固定され、ブロードーム・トリミング組立体５１０の動作中に径方向においてログ・ホルダ９８から固定された距離のところにある。ネック支持プレート４３０と反対側の、ブラケット５２２のもう一方側の各ロッド５２０上には、１組のストップ・ナット５２４が設置され、この１組のストップ・ナットは固定されたブラケット５２２に係合され、それにより、固定されたブラケット５２２から離れるようにネック支持プレート４３０が軸線方向に相対的に移動することが制限される。
【００３９】
図１０は、図４に示されるブロー・トリミング組立体４１０の位置に類似の上昇位置にあるブロー・トリミング組立体５１０を示す。ばね５１８は上側設置ブラケット５１４から離れるように上側ネック支持プレート４３０を位置させ、ネック支持面４３２がギロチン・ブレード４２８の切れ刃を越えて外側に離間される。ストップ・ナット５２４は固定されたブラケット５２２から離間される。
【００４０】
ホイール２４の適切な回転位置において、カム・フォロア４１２が、ガイド・ポスト４２２に沿った行程内で移動させるようにブロードーム・トリミング組立体５１０を押圧する。ストップ・ナット５２４が図１１に示されるように固定されたブラケット５２２に接触するまで、ばね５１６が、上側ブラケット５１４と共に行程に沿って移動させるように上側ネック支持プレート４３０を押圧し、ここでは、上側ネック支持プレート４３０が行程に沿ってさらに移動することが防止される。この時点では、ネック支持プレート４３０はネックＩから近くに離間され、ログ・ホルダのネック支持部分４１６と協働し、残りの行程において上述したようにネック・リングＩの円周全体を実質的に継続して支持する。ギロチン・ブレード４２８はネック・リングＩからわずかに離間される。
【００４１】
カム・フォロア４１２は、図１１に示される中間位置から図１２に示される下降位置まで継続して行程を下方向に進む。説明したように、ネック支持プレート４３０は行程のこの部分に沿っては移動しない。ばね５１８がネック支持プレート４３０と上側ブラケット５１４との間で圧縮され、摺動プレート５１２が行程に沿って継続して移動する。ギロチン・ブレード４２８がログＨのところを通って移動し、それによりネックＩからブロードームＪが切断される。行程はそれ自体で、ログＨを通過するようにギロチン・ブレード４２８を移動させるくらいの十分な長さを有さなければならないことから、トリミング組立体５１０と共に使用される場合のカム・フォロア４１２の径方向の行程長さは、トリミング組立体４１０と共に使用される場合の行程長さより長い。
【００４２】
ブロードームがトリミングされた後、カム・フォロア４１２がブロードーム・トリミング組立体５１０を図１０に示される上昇位置まで戻す。ばね５１６が上側ブラケット５１４から離すようにネック支持プレート４３０を付勢し、それによりブラケット５１４に対して相対的にネック支持プレート４３０がその元の位置に戻される。次いで、カム・フォロア１２６が、トリミングされたログをログ・ホルダ９８から取り出すために、組立体全体を後退位置に戻す（図２に示される位置に一致する）。
【００４３】
本発明の代替の実施例では、トリミング・ステーションはブロードーム・トリミング組立体４１０又は５１０のみを有してもよく、ばり打ち抜き／トリミング組立体１１４は排除される。別の実施例では、ログ・ホルダ９８は、ホイール上に設置されずに、固定されていてもよい。示されるネック支持面は凹面であり、ボトル・ネックＬの凸面の形状に緊密に従うが、ネック支持面は、別の実施例では、ボトル・ネックの考えられる別の形状に従うために平坦又はさらには凸面であってもよい。
【００４４】
示される実施例は、プラスチック・ログからばりをトリミングすることに加えて、プラスチック・ログのネックからブロードームをトリミングすることを示す。別の実施例では、ブロードームをトリミングすることに加えて、ブロー成形されたプラスチック・ボトルの技術分野で知られている別のトリミング処理が実施されてもよい。
【００４５】
本発明の好適な実施例を示して説明してきたが、本発明が修正され得ること、及び、したがって、本発明が記載される正確な細部のみに限定されることが望まれず、以下の特許請求の範囲の範囲内にあるような変形形態及び変更形態が利用されることが所望されることを理解されたい。
【図１】
2013527063.tif 000003
【図２】
2013527063.tif 000004
【図３】
2013527063.tif 000005
【図４】
2013527063.tif 000006
【図５】
2013527063.tif 000007
【図６】
2013527063.tif 000008
【図７】
2013527063.tif 000009
【図８】
2013527063.tif 000010
【図９】
2013527063.tif 000011
【図１０】
2013527063.tif 000012
【図１１】
2013527063.tif 000013
【図１２】
2013527063.tif 000014
【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
ブロー成形型から排出されるプラスチック・ブロー成形ログの一部分を形成する、プラスチック・ボトルのネックからブロードームをトリミングする方法であって、前記ネックが軸線に沿って延在している方法において、
（ａ）トリミングされていないログをログ・ホルダ上に配置し、前記ログが前記ログ・ホルダ上に配置されている間はギロチン組立体を前記ログ・ホルダから離れたところに配置するステップであって、前記ギロチン組立体が、前記ボトル・ネックから前記ブロードームを切断するためのブレード、およびネック支持プレートを有しているステップと、
（ｂ）前記ログが前記ログ・ホルダ上に配置された後に前記ギロチン組立体を前記ログ・ホルダに隣接するように位置決めするステップであって、前記ギロチン組立体が前記ログ・ホルダに隣接したとき、前記ネック支持プレート及び前記ブレードは前記ネックの軸線に対して垂直な方向に前記プラスチック・ログの第１の側から分離され且つその第１の側の上を覆っているステップと、
（ｃ）前記ネック支持プレートを前記プラスチック・ログの方に所定の距離だけ移動させ、そのように移動させた後で前記ネック支持プレートを前記ネックに隣接させて停止させるステップと、
（ｄ）ステップ（ｃ）の実施後、前記ネックから前記ブロードームをトリミングするために、前記ブレードを前記プラスチック・ログの方へと、前記プラスチック・ログを通過するように移動させるステップと、
（ｅ）ステップ（ｄ）の実施後、前記ギロチン組立体を、前記ログ・ホルダに隣接する位置から前記ログ・ホルダから離れた位置まで移動させるステップと、
（ｆ）ステップ（ｅ）の実施後、前記トリミングされたログを前記ログ・ホルダから除去するステップと、
を含む方法。
【請求項２】
前記ネック支持プレートが第１のネック支持体として働き、前記ログ・ホルダが第２のネック支持体を有し、ステップ（ａ）が、
（ｇ）前記トリミングされていないログの前記ネックを前記第２のネック支持体に隣接するように配置するステップ
を含み、また
ステップ（ｃ）の実施後、前記第１及び第２のネックが前記ネックの外周全体を実質的に囲い且つ支持する、請求項１に記載の方法。
【請求項３】
前記ギロチン組立体がカム・フォロアを有し、該カム・フォロアはカム面によって案内されて前記ログ・ホルダの方に向かうように及び前記ログ・ホルダから離れるように移動され、前記ネック支持プレートおよび前記ブレードの少なくとも一方が、前記カム・フォロアと結合状態で移動するように前記カム・フォロアに対して固定される、請求項１に記載の方法。
【請求項４】
前記ブレードが、前記カム・フォロアと結合状態で移動するように前記カム・フォロアに対して固定され、また前記ネック支持プレートが、前記ブレードに対して相対的に移動可能であり、それによって前記ブレードは、ステップ（ｄ）の間、前記ネック支持プレートに対して移動することができる、請求項３に記載の方法。
【請求項５】
前記ブレードが、前記ネック支持プレートに対して相対的に前記ブレードを移動させるブレード駆動装置に取り付けられ、ステップ（ｄ）が、
（ｇ）前記ブレードが前記ネック支持体に対して相対的に移動し且つ前記プラスチック・ログを通過するように、前記ブレード駆動装置を作動させるステップ
を含む、請求項１に記載の方法。
【請求項６】
（ｇ）取り込み位置及び排出位置を有する経路に沿って前記ログ・ホルダ及びギロチン組立体を連続的に移動させるステップと、
（ｈ）前記ログ・ホルダが前記取り込み位置にあるときにステップ（ａ）を開始するステップと、
（ｉ）前記ログ・ホルダが前記排出位置にあるときにステップ（ｂ）を開始するステップと
を含む請求項１に記載の方法。
【請求項７】
ブロー成形型から排出されたプラスチック・ブロー成形ログの一部分を形成するプラスチック・ボトルのネックからブロードームをトリミングするための組立体であって、前記ネックが軸線に沿って延在している組立体において、
ログ・ホルダと、
キャリア、ブレード及びネック支持プレートであって、前記ブレードが切れ刃を有し、前記キャリアが後退位置と前記後退位置から離れた伸長位置との間で移動可能であり、前記ブレード及び前記ネック支持プレートが後退位置と伸長位置との間で前記キャリアと共に移動するように前記キャリアによって担持され、前記ブレードが上昇位置と前記ブレードの前記上昇位置から離れた下降位置との間で前記キャリアに対して移動可能であり、前記ブレードが前記上昇位置から前記下降位置へ移動するときに前記ブレードの前記切れ刃が前記ブレードの前側端部上にあり、前記ネック支持プレートが上昇位置と前記プレートの前記上昇位置から離れた下降位置との間で前記キャリアに対して移動可能である、キャリア、ブレード及びネック支持プレートと、
前記キャリアを前記後退位置と前記伸長位置との間で移動させるために前記キャリアに動作可能に接続されたキャリア駆動装置と、
前記ブレードを前記ブレードの前記上昇位置と前記下降位置との間で移動させるために前記ブレードに動作可能に接続されたブレード駆動装置と、
前記ネック支持プレートを前記ネック支持プレートの前記上昇位置と前記下降位置との間で移動させるために前記ネック支持プレートに動作可能に接続されたプレート駆動装置と
を有し、
前記ブレード及び前記ネック支持プレートが各々前記上昇位置にあるときに、前記ブレード及び前記ネック支持プレートが各々第１の方向においてそれぞれ第１の距離だけ前記ログ・ホルダから分離され、
前記キャリアが前記伸長位置にあるときに、前記ブレード及び前記ネック支持プレートが前記第１の方向において前記ログ・ホルダの上を覆い、
前記キャリアが前記伸長位置にあるときに前記ブレードが前記上昇位置から前記下降位置まで移動しているとき、前記ブレードが前記ログ・ホルダの方に移動し、
前記キャリアが前記伸長位置にあるときに前記ネック支持プレートが前記上昇位置から前記下降位置まで移動しているとき、前記ネック支持プレートが前記ログ・ホルダの方に移動する
組立体。
【請求項８】
前記ネック支持プレートが前記下降位置にあり且つ前記キャリアが前記伸長位置にあるときに、前記ネック支持プレートが前記ログ・ホルダの一部分に面し、又、前記ネック支持プレート及び前記ログ・ホルダの一部分が、前記ログ・ホルダに保持されたプラスチック・ボトルのネックを密接に囲い且つ協働して支持するように構成される、請求項７に記載の組立体。
【請求項９】
前記ブレード駆動装置が、前記ネック支持プレートを押す少なくとも１つのばねを有し、前記ネック支持プレートが前記ばねに対して相対的に移動可能である、請求項７に記載の組立体。
【請求項１０】
前記キャリアが前記後退位置にあるときに、前記キャリアは前記ログ・ホルダから分離され、且つ前記キャリア、前記ブレード及び前記ネック支持プレートは、前記第１の方向において前記ログ・ホルダの上を覆っていない、請求項７に記載の組立体。
【国際調査報告】
2013527063.tif 000015
2013527063.tif 000016